【事件の表示】
　特許第３２７１１４１号「映像信号処理装置」の請求項１に係る特許に対する特許異議の申立てについて、次のとおり決定する。
【結　論】
　訂正を認める。
　特許第３２７１１４１号の請求項１に係る特許を取り消す。
【理　由】
１．手続の経緯
　特許第３２７１１４１号の請求項１に係る発明についての出願は、平成２年５月３１日に特許出願され、平成１４年１月２５日にその発明について特許の設定がされ、その後、その特許について、異議申立人小塚浩により特許異議の申立てがされ、取消理由が通知され、その指定期間内である平成１５年２月４日に訂正請求がされたものである。
　
　
２．訂正の適否についての判断
（１）訂正の内容
　ａ．発明の名称を「撮像装置」に訂正する。
　
　ｂ．特許請求の範囲の請求項１の「切り換えて出力する切換手段と、上記切換手段」を「切り替えて出力する切り替え手段と、上記切り替え手段」に訂正する。
　
　ｃ．特許請求の範囲の請求項１の「映像信号を出力する出力端子」を「映像信号を外部モニターに出力する出力端子」に訂正する。
　
　ｄ．特許公報第１ページ第２欄第１行目、第６行目、第２ページ第３欄第３６行目、第５０行目、第４欄１４行目、第１８行目、第３ページ第６欄第１５行目〜第１６行目、第３０行目に夫々「映像信号処理装置」とあるを「撮像装置」に訂正する。
　
　ｅ．特許公報第１ページ第２欄第４行目、第５行目、第２ページ第３欄第１行目（２ヶ所）、第２行目、第４欄第６行目、第７行目、第８行目〜第９行目、第９行目、第１０行目、第３ページ第６欄第２２行目（２ヶ所）、第２３行目に「モニタ」とあるを「モニター」に訂正する。
　
　ｆ．特許公報第２ページ第３欄第４５行目〜第４７行目「切り換えて出力する切換手段と、上記切換手段からの映像信号を出力する」とあるを「切り替えて出力する切り替え手段と、上記切り替え手段からの映像信号を外部モニターに出力する」に訂正する。
　
　ｇ．特許公報第２ページ第４欄第３１行目〜第３２行目「高画質情報領信号」とあるを「高画質情報領域信号」に訂正する。
　
　ｈ．特許公報第３ページ第６欄第２０行目「出力する」とあるを「外部モニターに出力する」に訂正する。
　
　ｉ．特許公報第３ページ第６欄第２７行目「本発明の映像信号処理装置」とあるを「撮像装置」に訂正する。
　
　ｊ．特許公報第２ページ第４欄第４３行目、第３ページ第６欄第３０行目「他の実施例」とあるを「実施例」に訂正する。
　
（２）訂正の目的の適否、新規事項の有無及び拡張・変更の存否
　　特許請求の範囲についての訂正事項ｂは、誤記の訂正を目的とし、同じく訂正事項ｃは、特許請求の範囲の減縮を目的とし、また発明の名称、詳細な説明の欄についての訂正事項ａ、ｄないしｊは、誤記の訂正、又は前記特許請求の範囲の訂正に対応した明りょうでない記載の釈明に相当する。
　そして、この訂正内容は、願書に最初に添付した明細書又は図面に記載した事項の範囲内であり、かつ実質上特許請求の範囲を拡張し又は変更するものでもない。
　
（３）むすび
　以上のとおりであるから、上記各訂正は特許法第１２０条の４第３項において準用する平成６年法律第１１６号による改正前の特許法第１２６条第１項ただし書き、第２項及び第３項の規定に適合するので、当該各訂正を認める。
　
　
３．特許異議の申立てについての判断
（１）申立ての理由の概要
　特許異議申立人小塚浩は、甲第１号証として特開平３−１４８９７０号公報を提示して、本件請求項１に係る発明（訂正前のその特許請求の範囲の請求項１に記載された発明（以下「訂正前本件発明」という。）は、上記甲第１号証に記載された発明と実質的に同一であるから、特許法第２９条の２の規定により特許を受けることができないものであり、特許法第１１３条第１項第２号の規定により取り消されなければならない旨申し立てている。
　
（２）本件発明
　　前記したように訂正が認められるから、本件の請求項１に係る発明（以下「本件発明」という。）は、上記訂正に係る訂正明細書の特許請求の範囲の請求項１に記載された次のとおりのものである。
　
「【請求項１】高走査数の高画質信号を出力する撮像手段と、　
　該撮像手段からの高画質信号に含まれる高画質情報領域信号を低減した映像信号を出力する高画質情報領域信号低減手段と、
　上記撮像手段からの上記高画質信号と、上記高画質情報領域低減手段からの映像信号を切り替えて出力する切り替え手段と、
　上記切り替え手段からの映像信号を外部モニターに出力する出力端子と、　を備えることを特徴とする撮像装置。」
　
（３）先願明細書に記載された発明
　当審で通知した取消しの理由で引用した本件発明の出願の日前の出願であって、その出願後に出願公開された特願平１−２８７４５２号（特開平３−１４８９７０号公報を参照）（異議申立人の提示した甲第１号証、以下「先願明細書」という。）には、カメラ装置に関する発明について、次の事項が記載されている。
　
　ア．第１図の説明で「同図において、符号１〜９の構成部はカメラ装置を構成し、残りの符号１０〜２４の構成部はＶＴＲを構成している。これらカメラ装置とＶＴＲ部とは同一筐体内に一体化されてもよいが、分離された別体のものであってもよい。」（公開公報では第５頁左下欄第１３行〜１７行、以下同じ）
　
　イ．「固体撮像素子や撮像管などの撮像素子２では、鏡筒１によって被写体像が結像され、アスペクト比が１６：９、１フレーム当りの水平走査線数が１１２５本のハイビジョン仕様で撮像が行なわれて、ハイビジョン仕様の三原色信号、すなわちＲ，Ｇ，Ｂ信号、もしくはその補色信号が出力される。」（公報第５頁右下欄第１行〜６行）
　　
　ウ．第１図の説明で「一方、スイッチ７はカメラ装置の筐体の外面にユーザが操作可能に取りつけられており、これによってカメラ装置やＶＴＲ部の動作状態をＮＴＳＣ対応にするか、ハイビジョン対応にするか選択される。スイッチ７を図示するように電源側に閉じると、ハイビジョン対応とする“Ｈ”（高レベル）の指示信号Ｓａが発生し、スイッチ７を図示とは反対に接地側に閉じると、ＮＴＳＣ対応とする“Ｌ”（低レベル）の指示信号Ｓａが発生する。
　いま、この指示信号Ｓａが“Ｈ”でハイビジョン対応が指示されているものとすると、伸長回路４は伸長動作を停止し、ハイビジョン仕様の輝度信号Ｙ、色差信号ＰＲ、ＰＢがそのまま伸長回路４を通過してエンコーダ５に供給される。指示信号Ｓａが“Ｌ”でＮＴＳＣ対応を指示しているときには、伸長回路４は伸長動作を行ない、ハイビジョン仕様の輝度信号Ｙ、色差信号ＰＲ，ＰＢをＮＴＳＣ仕様のものに変換する。」（公報第５頁右下欄第２０行〜６頁左上欄１７行）
　
　エ．「エンコーダ５の出力信号がカメラ装置の出力信号であるが、以下、これがＮＴＳＣ仕様の輝度信号Ｙ、色差信号ＰＲ，ＰＢから生成されたＴＣＩ形式の信号であるとき、これをＮＴＳＣ信号と呼び、ハイビジョン仕様の信号から生成されたものであるとき、ハイビジョン信号と呼ぶことにする。」（公報第７頁右上欄第１１行〜１６行）．
　
（４）対比・判断
　本件発明と先願明細書に記載された発明とを対比すると、先願明細書に記載された発明における「カメラ装置」は、撮像手段の出力信号を処理し、出力するものであるから、本願発明の「撮像装置」に対応する。
　
　先願明細書に記載された発明における「撮像素子２」は、「１フレーム当りの水平走査線が１１２５本のハイビジョン仕様で撮像が行われて、ハイビジョン仕様の三原色信号、すなわちＲ，Ｇ，Ｂ信号、もしくはその補色信号が出力される」（上記（３）イ．を参照）ものであるから、本件発明における「高走査線の高画質信号を出力する撮像手段」に対応する。
　
　先願明細書に記載された発明における「伸長回路４」は、「ハイビジョン仕様の輝度信号Ｙ、色差信号ＰＲ，ＰＢをＮＴＳＣ仕様のものに変換する」（上記（３）ウ．を参照）ものであるから、本願発明の「撮像手段からの高画質信号に含まれる高画質情報領域信号を低減した映像信号を出力する高画質情報領域信号低減手段」に対応する。
　
　先願明細書に記載された発明において、「カメラ装置」をハイビジョン対応にするかＮＴＳＣ対応にするかを選択する「スイッチ７」からの指示信号によって「伸長回路４」をハイビジョン仕様の輝度信号Ｙ、色差信号ＰＲ，ＰＢ、又はＮＴＳＣ仕様のものとして出力するから（上記（３）ウ．を参照）、「伸長回路４」、「スイッチ７」は、本願発明の「撮像手段からの上記高画質信号と、上記高画質情報領域低減手段からの映像信号を切り替えて出力する切り替え手段」に対応する。
　
　先願明細書に記載された発明において、「エンコーダ５の出力信号がカメラ装置の出力信号である」（上記（３）エ．を参照）こと及び「カメラ装置」は、「分離された別体のものであってもよい」（上記（３）ア．を参照）ことから、「カメラ装置」が当該カメラ装置からの出力信号を出力する出力端子を有することは明らかであるから、「カメラ装置」が、本件発明の「切り替え手段からの映像信号を出力する出力端子」に対応する出力端子を有することは明らかである。
　
　したがって、両発明は次の点で一致している。
［一致点］
　高走査数の高画質信号を出力する撮像手段と、該撮像手段からの高画質信号に含まれる高画質情報領域信号を低減した映像信号を出力する高画質情報領域信号低減手段と、上記撮像手段からの上記高画質信号と、上記高画質情報領域低減手段からの映像信号を切り替えて出力する切り替え手段と、上記切り替え手段からの映像信号を出力する出力端子と、を備えることを特徴とする撮像装置である点。
　
　そして、次の点で一応の相違が認められる。
［相違点］
　本件発明では、切り替え手段からの映像信号を出力する出力端子が、外部モニターに出力する出力端子であるのに対し、先願明細書には、カメラ装置の出力に関し、カメラ装置とＶＴＲ部とを接続するものが記載されているだけである点。
　
　そこで、上記相違点について検討すると、従来、カメラ装置において、撮像手段で撮像される画像をカメラ装置のビューファインダでモニターするだけでなく、カメラ装置の出力端子に外部モニターを接続してモニターを行うことも普通に行われており（必要なら、テレビジョン学会編「テレビジョン・画像情報工学ハンドブック」１９９０年１１月３０日　Ｐ．１９２　図３・９５等参照）、先願明細書におけるカメラ装置においてもビューファインダに代えて、あるいはビューファインダに加えて外部モニターをカメラ装置の出力端子に接続することは、普通の利用形態の１つということができる。
　
　してみれば、上記相違点である本件発明の「出力端子」の出力先として外部モニターに限定した点は、カメラ装置が本来備えている端子機能を普通に使用される形態で特定したものにすぎず、しかも先願明細書のカメラ装置において、その出力端子に外部モニターを接続することを阻害する特段の要因もない。
　
　また、上記３．（３）で摘記したように、先願明細書では、第１図に示されたスイッチ７の選択により、ハイビジョン仕様の信号又はＮＴＳＣ仕様の信号を選択的に出力させるためのものであるから、接続する外部モニターに応じて、スイッチ７によりハイビジョン仕様の信号又はＮＴＳＣ仕様の信号を選択できるものであるから、本件発明と同様の効果を奏することは明らかである。
　
　以上のとおりであるから、本件発明は、先願明細書に記載された発明と実質的に同一である。そして、本件発明の発明者は上記先願明細書に記載された発明者と同一の者でも、本件出願の出願時の出願人と上記他の出願の出願人とが同一の者でもない。
　したがって、本件発明の特許は、特許法第２９条の２の規定に違反してされたものである。
　よって結論のとおり決定する。
【異議決定日】
平成１５年３月６日（２００３．３．６）
【訂正の要旨】
ａ．発明の名称を「撮像装置」に訂正する。
ｂ．特許請求の範囲の請求項１の「切り換えて出力する切換手段と、上記切換手段」を「切り替えて出力する切り替え手段と、上記切り替え手段」に訂正する。
ｃ．特許請求の範囲の請求項１の「映像信号を出力する出力端子」を「映像信号を外部モニターに出力する出力端子」に訂正する。
ｄ．特許公報第１ページ第２欄第１行目、第６行目、第２ページ第３欄第３６行目、第５０行目、第４欄第１４行目、第１８行目、第３ページ第６欄第１５行目〜第１６行目、第３０行目に夫々「映像信号処理装置」とあるを「撮像装置」に訂正する。
ｅ．特許公報第１ページ第２欄第４行目、第５行目、第２ページ第３欄第１行目（２ヶ所）、第２行目、第４欄第６行目、第７行目、第８行目〜第９行目、第９行目、第１０行目、第３ページ第６欄第２２行目（２ヶ所）、第２３行目に「モニタ」とあるを「モニター」に訂正する。
ｆ．特許公報第２ページ第３欄第４５行目〜第４７行目「切り換えて出力する切換手段と、上記切換手段からの映像信号を出力する」とあるを「切り替えて出力する切り替え手段と、上記切り替え手段からの映像信号を外部モニターに出力する」に訂正する。
ｇ．特許公報第２ページ第４欄第３１行目〜第３２行目「高画質情報領信号」とあるを「高画質情報領域信号」に訂正する。
ｈ．特許公報第３ページ第６欄第２０行目「出力する」とあるを「外部モニターに出力する」に訂正する。
ｉ．特許公報第３ページ第６欄第２７行目「本発明の映像信号処理装置」とあるを「撮像装置」に訂正する。
ｊ．特許公報第２ページ第４欄第４３行目、第３ページ第６欄第３０行目「他の実施例」とあるを「実施例」に訂正する。
（５４）【発明の名称】
撮像装置
（５７）【特許請求の範囲】
　【請求項１】　高走査数の高画質信号を出力する撮像手段と、
　該撮像手段からの高画質信号に含まれる高画質情報領域信号を低減した映像信号を出力する高画質情報領域信号低減手段と、
　上記撮像手段からの上記高画質信号と、上記高画質情報領域低減手段からの映像信号を切り替えて出力する切り替え手段と、
　上記切り替え手段からの映像信号を外部モニターに出力する出力端子と、
　を備えることを特徴とする撮像装置。
【発明の詳細な説明】
〔産業上の利用分野〕
　本発明は高走査数に係る高画質信号及びこの高画質信号に基づき生成した領域低減信号を選択的に出力する際に好適な撮像装置に関する。
〔発明の概要〕
　本発明は例えば、ＨＤＴＶ（Ｈｉｇｈ　Ｄｅｆｉｎｉｔｉｏｎ　ＴＶ）等の高走査数に係る高画質信号のモニター及びＮＴＳＣ等の低走査数に係る領域低減信号のモニターの夫々に対して画像表示する際に適用して好適な撮像装置に関し、高画質信号を出力する高画質信号発生手段と、この高画像信号発生手段からの高画質信号に含まれる高画質情報領域信号を低減した領域低減信号を出力する高画質情報領域信号低減手段と、この高画質信号発生手段から出力された高画質信号とこの高画質情報領域信号低減手段から出力された領域低減信号を切り替えて選択的に出力する切り替え手段と、この切り替え手段から選択的に得られたこの高画質信号或は領域低減信号を出力する共通出力端子とを備えることにより、この共通出力端子に接続されたモニターがＨＤＴＶ等の高画質信号に係わるモニターであっても、またＮＴＳＣ等の領域低減信号のモニターであっても、この切り替え手段により容易に対応できるようにしたものである。
〔従来の技術〕
　近時の高画質化ＴＶ（アドバンティストＴＶ）、所謂、ＮＴＳＣ方式との両立性を保つＥＤＴＶ（Ｅｘｔｅｎｄｅｄ　Ｄｅｆｉｎｉｔｉｏｎ　ＴＶ、クリアビジョン）あるいはＨＤＴＶ等の高画質メディアが利用されつつある。
　この高画質メディアに係る５２５ＴＶ本等の順次走査（インインターレス）の高画質信号が映像表示される場合、この順次走査に対応する信号処理手段を備えた高画質モニターが用いられる。
　ところで高画質モニターは現況においては常用されておらず奇数、偶数ラインが夫々２６２．５ＴＶ本の周知の飛び越し走査（インターレース）による映像表示を行うＮＴＳＣ方式モニターが流用されている場合が多い。
〔発明が解決しようとする課題〕
　しかしながら、例えば、高画質メディア用ビデオカメラから出力される高画質信号をＮＴＳＣモニターに入力し、ここで映像表示が行われる場合には不都合がある。すなわち、順次走査の高画質信号が周知の飛び越し走査で映像表示されるばかりでなく、この高画質信号に含まれる画質情報領域信号、すなわち、従来の飛び越し走査の場合の走査間の走査信号が従来のＮＴＳＣビデオカメラから出力されるビデオ信号に比較して高レベルであり、順次走査の夫々の走査間の輝度が大きく変化する映像部分がフリッカとして映像表示され易い。このため、高画質メディアに係る高画質信号を現況で多用されるＮＴＳＣモニターで映像表示する際には目視し難いものとなる欠点を有している。
　本発明は上記の課題に鑑みてなされ、その目的は、高走査数の高画質信号とともに、低走査数に係る映像信号を同時に得ることができ例えば、ＨＤＴＶ等の高画質信号を低走査数のＮＴＳＣモニター等で画像表示する際の画質が向上する優れた撮像装置を提供することにある。
〔課題を解決するための手段〕
　上記課題を解決するために、本発明は、下記の手段を備えた撮像装置を提供する。即ち、
　高走査数の高画質信号を出力する撮像手段と、
　該撮像手段からの高画質信号に含まれる高画質情報領域信号を低減した映像信号を出力する高画質情報領域信号低減手段と、
　上記撮像手段からの上記高画質信号と、上記高画質情報領域低減手段からの映像信号を切り替えて出力する切り替え手段と、
　上記切り替え手段からの映像信号を外部モニターに出力する出力端子と、
　を備えることを特徴とする撮像装置を提供する。
〔作用〕
　本発明の撮像装置によれば、この高画質信号発生手段から出力された高画質信号とこの高画質情報領域信号低減手段から出力された領域低減信号を切り替えて選択的に出力する切り替え手段と、この切り替え手段から選択的に得られた高画質信号或は領域低減信号を出力する共通出力端子とを備えたので、この出力端子に、高画質信号に対応したモニターの一例としてＨＤＴＶ等の高走査数の高画質信号のモニター及びまたこの高画質情報領域信号低減手段から出力された領域低減信号に対応したモニターの一例としてＮＴＳＣ等の低走査数のモニターの何れをも接続することができ、かつこれらモニターの何れを接続した場合においても、この切り替え手段を操作するだけの簡単な操作により対応できる。
〔実施例〕
　以下、本発明の撮像装置に係る実施例を図面を参照して詳細に説明する。
　先ず、第１図において、（１０）は慣用手段であるＥＤＴＶ方式に係る高画質メディア用ビデオカメラを示し、（１２）は本発明の撮像装置の実施例に係る信号処理部を示す。
　高画質メディア用ビデオカメラ（１０）はＥＤＴＶ方式等に係る高走査数の高画質信号Ｓａを導出する周知ビデオカメラであり、高画質信号Ｓａは、例えば、水平解像度が５２５ＴＶ本であり、ＮＴＳＣ方式に係る飛び越し操作（１／６０ｓｅｃ、奇数、偶数ラインの２６２．５ＴＶ本）に対して順次走査による映像信号とされる。この高画質メディア用ビデオカメラ（１０）から得られる高画質信号Ｓａは信号処理部（１２）の入力端子Ｔｉに供給される。
　そして、高画質信号Ｓａはそのまま第１の出力端子Ｔａに導出され、さらに高画質信号Ｓａが高画質情報領域信号低減処理部（以下、領域信号低減処理部と記載する）（１４）に入力され、高画質信号Ｓａに含まれる高画質情報領域信号を低減した、高画質情報領域低減信号（以下、領域低減信号と記載する）Ｓｂが第２の出力端子Ｔｂに出力されるようになされている。
　上記の領域信号低減処理部（１４）は第２図に示されるように、高画質メディア用ビデオカメラ（１０）から供給される高画質信号Ｓａに含まれる高画質情報領域信号の一水平期間を遅延した遅延信号Ｓｅを例えば、ＣＣＤあるいは超音波遅延素子等を用いた１Ｈ遅延回路（２０）から導出し、さらに遅延信号Ｓｅと高画質信号Ｓａとを加算器（２２）に入力して加算し、ここから領域低減信号Ｓｂを出力するようになされている。
　次に、第３図に実施例の構成を示す。入力端子Ｔｉに入力される高画質信号Ｓａと、領域信号低減処理部（１４）から得られる領域低減信号Ｓｂとが、スイッチ（１６）の固定接点（１６ａ）（１６ｂ）に夫々供給されており、ここで供給される切り換え信号Ｓｃにもとづいて可動接点（１６ｃ）が、高画質信号Ｓａあるいは領域低減信号Ｓｂのいずれか一方を選択して共通出力端子Ｔｃに出力されるようになされている。この共通出力端子Ｔｃには図示しない高画質モニターあるいはＮＴＳＣモニターのいずれかが接続される。
　次に、この構成における動作を説明する。
　ＥＤＴＶに係る高画質メディア用ビデオカメラ（１０）から出力される高画質信号Ｓａは、例えば、水平解像度が５２５ＴＶ本であり、周知のＮＴＳＣ方式に係る飛び越し走査（１／６０ｓｅｃ、奇数、偶数ラインの２６２．５ＴＶ本）に対して順次走査による高画質信号Ｓａが出力される。この高画質信号Ｓａは信号処理部（１２）の入力端子Ｔｉを介して領域信号低減処理部（１４）に入力され、ここで領域低減信号Ｓｂが得られる。この領域低減信号Ｓｂは、先ず、第２図に示される１Ｈ遅延回路（２０）に高画質信号Ｓａが入力され、ここで、高画質信号Ｓａ含まれる高画質情報領域信号の一水平期間分が遅延した遅延信号Ｓｂが出力される。この遅延信号Ｓｂは続いて加算器（２２）で、高画質信号Ｓａにおける次の水平信号と合成加算される。これにより、実質的に高画質信号Ｓａ含まれる高画質情報領域信号の一水平期間分が導出されないものとなり、例えば、高画質信号Ｓａの順次走査に係る連続した走査線にあって、輝度差が大きい場合に、この輝度差が平均化されるものとなり、ＮＴＳＣモニターでの表示映像はフリッカが生起し難くなる。このようにして得られる領域低減信号Ｓｂは高画質信号Ｓａとともに第１および第２の出力端子Ｔａ，Ｔｂに導出され、ここに接続される高画質モニター、ＮＴＳＣモニターに夫々供給されて、映像表示が行われる。
　第３図において、高画質信号Ｓａあるいは領域低減信号Ｓｂはスイッチ（１６）の固定接点（１６ａ）（１６ｂ）にも供給されている。このスイッチ（１６）では切り換え信号Ｓｃにもとづいて、例えば、離間した位置に配置された高画質モニター、ＮＴＳＣモニターのいずれかに一本の同軸ケーブル等で高画質信号Ｓａあるいは領域低減信号Ｓｂを共通出力端子Ｔｃを通じて伝送する際に切り換えられる。すなわち、可動接点（１６ｃ）と固定接点（１６ａ）が接続するＯＮ状態では高画質信号Ｓａが導出され、可動接点（１６ｃ）と固定接点（１６ｂ）が接続するＯＦＦ状態では領域低減信号Ｓｂが導出される。このようにして、高画質信号Ｓａに含まれる高画質情報領域信号の一水平期間分が低減された領域低減信号Ｓｂが第２の出力端子Ｔｂあるいは共通出力端子Ｔｃから得られるものとなり、高画質信号Ｓａが高画質モニターに映像表示されるとともに、領域低減信号ＳｂがＮＴＳＣモニター等で映像表示可能となる。この際ＮＴＳＣモニターではフリッカ等が低減され、その表示映像の品質が向上する。
　なお、上記の実施例において、領域信号低減処理部（１４）に１Ｈ遅延回路（２０）と加算器（２２）を用いたが、この代わりに低域通過フィルター（ＬＰＦ）を用いても良いことは勿論である。
　本発明は上記の実施例に限定されることなく、本発明の要旨を逸脱しない範囲で種々変更し得ることは明らかである。
〔発明の効果〕
　上記の説明から理解されるように、本発明の撮像装置によれば、高画質信号発生手段から出力された高画質信号と高画質情報領域信号低減手段から出力された領域低減信号を切り替えて選択的に出力する切り替え手段と、この切り替え手段から選択的に得られた高画質信号或は領域低減信号を外部モニターに出力する共通出力端子とを備えたので、この出力端子に、一例としてＨＤＴＶ等の高画質信号のモニター及びＮＴＳＣ等の領域低減信号のモニターの何れをも接続することができ、かつこれらのモニターの何れを接続した場合においても、この切り替え手段を操作するだけの簡単な操作により対応できる利点がある。
【図面の簡単な説明】
　第１図は撮像装置の実施例の構成を示すブロック図、第２図は第１図の実施例における領域信号低減処理部の構成を示すブロック図、第３図は本発明の撮像装置の実施例の構成を示すブロック図である。
　（１０）は高画質メディア用ビデオカメラ、（１２）は信号処理部、（１４）は高画質情報領域信号低減処理部、（２０）は１Ｈ遅延回路、（２２）は加算器、（１６）はスイッチ、Ｓａは高画質信号、Ｓｂは領域低減信号、Ｓｅは遅延信号、Ｔａは第１の出力端子、Ｔｂは第２の出力端子、Ｔｃは出力端子、Ｔｉは入力端子である。